(57)【要約】【課題】スキャンデータに基づく印刷処理の完了を早めることを課題とする。【解決手段】プリンタと複数のスキャナとの各々を制御する制御装置において、複数のスキャナのスキャン処理によって得られる複数の原稿のスキャンデータに基づいて、印刷処理が行われる場合に、複数のスキャナによるスキャン処理が同時に開始することを条件として、スキャン処理の対象となる複数の原稿の複数のスキャナの各々への分配数が演算される。この分配数の演算は、複数のスキャナによるスキャン処理によって得られた複数の原稿の各々に係る複数のスキャンデータに基づくプリンタによる印刷処理が、該複数のスキャンデータの各々を生成するためのスキャン処理が完了した後に行われるとともに、最も早く完了するように、演算される。これにより、印刷処理がスキャン処理待ちのために中断することがなくなり、スキャンデータに基づく印刷処理の完了を早めることが可能となる。【選択図】図２３
2015154379.tif 000002
【特許請求の範囲】
【請求項１】
プリンタと複数のスキャナとの各々を制御する制御装置のコンピュータが読み取り可能な制御プログラムであって、
前記複数のスキャナによるスキャン処理の対象となる複数の原稿の枚数を取得する原稿枚数取得手段と、
前記複数のスキャナのスキャン処理によって得られた複数の原稿の各々に係る複数のスキャンデータに基づいて、前記プリンタによる印刷処理が行われる場合に、前記複数のスキャナによるスキャン処理が同時に開始することを条件として、前記原稿枚数取得手段によって取得された枚数の原稿の前記複数のスキャナの各々への分配数を演算する第１分配数演算手段と、
して前記コンピュータを機能させ、
前記第１分配数演算手段は、
前記複数のスキャナによるスキャン処理によって得られた複数の原稿の各々に係る複数のスキャンデータに基づく前記プリンタによる印刷処理が、該複数のスキャンデータの各々を生成するためのスキャン処理が完了した後に行われるとともに、最も早く完了するように、前記複数のスキャナへの分配数を演算することを特徴とする制御プログラム。
【請求項２】
前記複数のスキャナのスキャン処理によって得られたスキャンデータに基づく印刷処理の開始を、前記プリンタに指示する印刷開始指示手段と
して前記コンピュータを機能させ、
前記印刷開始指示手段は、
前記プリンタが前記複数のスキャナのスキャン処理によって得られたスキャンデータに基づく印刷処理を開始してから該印刷処理の完了までに要する時間が最短となるタイミングで、印刷処理の開始を前記プリンタに指示することを特徴とする請求項１に記載の制御プログラム。
【請求項３】
前記複数のスキャナのスキャン処理によって得られたスキャンデータに基づいて、前記プリンタによる印刷処理が行われない場合に、前記複数のスキャナによるスキャン処理が同時に開始することを条件として、前記複数のスキャナのスキャン処理が最も早く完了するように、前記原稿枚数取得手段によって取得された枚数の原稿の前記複数のスキャナの各々への分配数を演算する第２分配数演算手段と
して前記コンピュータを機能させることを特徴とする請求項１又は２に記載の制御プログラム。
【請求項４】
前記制御装置は、
他の装置と通信を行うための通信部と、
ユーザ操作に応じた信号を入力するための入力部と、
を備えており、
前記通信部により通信可能な複数のスキャナから、前記入力部より受信した信号に従い複数のスキャナを選択するスキャナ選択手段と、
前記通信部により通信可能なプリンタから、前記入力部より受信した信号に従いプリンタを選択するプリンタ選択手段と、
して前記コンピュータを機能させ、
前記第１分配数演算手段は、
前記スキャナ選択手段により選択された複数のスキャナのスキャン処理によって得られた複数の原稿の各々に係る複数のスキャンデータに基づいて、前記プリンタ選択手段により選択されたプリンタによる印刷処理が行われる場合について、前記スキャナ選択手段により選択された複数のスキャナの各々への分配数を演算することを特徴とする請求項１乃至３の何れか１項の記載の制御プログラム。
【請求項５】
前記制御装置は、表示部を備えており、
前記第１分配数演算手段により演算された前記複数のスキャナへの分配数を、前記複数のスキャナの各々に対応づけて、前記表示部に表示させる分配数表示手段と
して前記コンピュータを機能させることを特徴とする請求項１乃至４の何れか１項に記載の制御プログラム。
【請求項６】
他の装置と通信を行うための通信部と、ユーザ操作に応じた信号を入力するための入力部と、表示部と、を備えた制御装置のコンピュータが読取り可能な制御プログラムであって、
前記通信部により通信可能な複数のスキャナから、入力部より受信した信号に従い複数のスキャナを選択するスキャナ選択手段と、
入力部より受信した信号に従い、コピー処理及びスキャン処理のうち、何れか選択する処理選択手段と、
前記処理選択手段において、コピー処理が選択された場合に、前記通信部により通信可能なプリンタから、入力部より受信した信号に従いプリンタを選択するプリンタ選択手段と、
前記コピー処理のコピー元、又はスキャン処理の対象となる複数の原稿の枚数を取得する原稿枚数取得手段と、
前記処理選択手段において、コピー処理が選択された場合に、前記原稿枚数取得手段によって取得された枚数の原稿の前記スキャナ選択手段により選択された複数のスキャナの各々への分配数を演算する第１分配数演算手段と、
前記処理選択手段において、スキャン処理が選択された場合に、前記原稿枚数取得手段によって取得された枚数の原稿の前記スキャナ選択手段により選択された複数のスキャナの各々への分配数を、前記第１分配演算手段とは異なるアルゴリズムに従い演算する第２分配数演算手段と、
前記第１分配数演算手段、又は、前記第２分配演算手段により演算された前記複数のスキャナへの分配数を、前記複数のスキャナの各々に対応づけて、前記表示部に表示させる分配数表示手段と、
して前記コンピュータを機能させることを特徴とする制御プログラム。
【請求項７】
前記第１分配数演算手段は、
前記スキャナ選択手段により選択された複数のスキャナへの分配数に加え、該分配数の原稿の、複数の原稿における位置も算出することを特徴とする請求項６に記載の制御プログラム。
【請求項８】
前記第２分配数演算手段は、
前記スキャナ選択手段により選択された複数のスキャナへの分配数に加え、該分配数の原稿の、複数の原稿における位置も算出することを特徴とする請求項６又は７に記載の制御プログラム。
【請求項９】
前記制御装置は、ユーザ操作に応じた信号を入力するための入力部を備えており、
前記原稿枚数取得手段は、
ページ数が記された原稿については、前記入力部より受信した、原稿に記されたページ数のうち最も大きい値のページ数に基づいて、その枚数を取得することを特徴とする請求項１乃至８のいずれか１項に記載の制御プログラム。
【請求項１０】
前記原稿枚数取得手段は、
ページ数が記された原稿については、前記入力部より受信した、原稿に記されたページ数のうち最も小さい値のページ数に基づいて、その枚数を取得することを特徴とする請求項９に記載の制御プログラム。
【請求項１１】
前記原稿枚数取得手段は、
１枚の原稿にＮ個（Ｎは２以上の整数）のページ数が記されているＮｉｎ１原稿を含む場合に、Ｎｉｎ１原稿については、前記受信部より受信したＮの値に基づいて、原稿の枚数を取得することを特徴とする請求項９又は１０に記載の制御プログラム。
【請求項１２】
前記原稿枚数取得手段は、
ページ数の記されていない原稿の枚数については、前記入力部より受信した数値に基づいて、原稿の枚数を取得することを特徴とする請求項９乃至１１のいずれか１項に記載の制御プログラム。
【請求項１３】
前記複数のスキャナの各々にセットされている原稿の枚数を推定することが可能な原稿枚数推定情報を、前記複数のスキャナの全てから取得する原稿枚数推定情報取得手段と、
前記原稿枚数推定情報取得手段によって取得された前記複数のスキャナの全ての前記原稿枚数推定情報から、前記複数のスキャナの各々にセットされている原稿のセット枚数を推定し、推定された原稿のセット枚数と、前記第１分配数演算手段によって演算された前記複数のスキャナへの分配数とに基づいて、前記第１分配数演算手段によって演算された前記複数のスキャナへの分配数の原稿が、前記複数のスキャナにセットされているか否かを判断する判断手段と、
して前記コンピュータを機能させることを特徴とする請求項１乃至１２の何れか１項に記載の制御プログラム。
【請求項１４】
前記制御装置は、表示部を備えており、
前記判断手段において、前記第１分配数演算手段によって演算された前記複数のスキャナへの分配数の原稿が、前記複数のスキャナにセットされていないと判断された場合に、その旨を示す画面を前記表示部に表示させる画面表示手段と、
して前記コンピュータを機能させることを特徴とする請求項１３に記載の制御プログラム。
【請求項１５】
前記複数のスキャナのスキャン速度を取得するスキャン速度取得手段と、
前記プリンタの印刷速度を取得する印刷速度取得手段と、
して前記コンピュータを機能させ、
前記第１分配数演算手段は、
前記印刷速度取得手段により取得された前記プリンタの印刷速度よりも、前記スキャン速度取得手段により取得されたスキャン速度が速いスキャナが、前記複数のスキャナに１つ又は複数含まれている場合は、該スキャナのいずれか１台のみに複数の原稿が分配されるように演算することを特徴とする請求項１乃至１４の何れか１項に記載の制御プログラム。
【請求項１６】
前記スキャナ選択手段により選択された複数のスキャナのうち、複数のスキャン速度の各々においてスキャン処理を実行可能なものについては、入力部より受信した信号に従い、該複数のスキャン速度のうちいずれのスキャン速度によりスキャン処理を実行するかを選択するスキャン速度選択手段と、
前記プリンタ選択手段により選択されたプリンタが、複数の印刷速度の各々において印刷処理を実行可能な場合に、入力部より受信した信号に従い、該複数の印刷速度のうちいずれの印刷速度により印刷処理を実行するかを選択する印刷速度選択手段と、
して、前記コンピュータを機能させ、
前記第１分配数演算手段は、
前記スキャナ選択手段により選択された複数のスキャナのうち、複数のスキャン速度の各々においてスキャン処理を実行可能なものについては、前記スキャン速度選択手段により選択されたスキャン速度を、１つのスキャン速度のみにおいてスキャン処理を実行可能なものについては、該１つのスキャン速度に基づき、
前記プリンタ選択手段により選択されたプリンタが、複数の印刷速度の各々において印刷処理を実行可能な場合は、前記印刷速度選択手段により選択された印刷速度を、１つの印刷速度のみにおいて印刷処理を実行可能なものについては、該１つの印刷速度に基づき、
前記スキャナ選択手段により選択された複数のスキャナの各々への分配数を演算することを特徴とする請求項４又は６に記載の制御プログラム。
【請求項１７】
前記制御装置は、表示部を備えており、
前記複数のスキャナによるスキャン処理の進捗状況を示すグラフと、前記プリンタによる印刷処理の進捗状況を示すグラフとを同時に、前記表示部に表示させるグラフ表示手段と
して前記コンピュータを機能させることを特徴とする請求項１乃至１６の何れか１項に記載の制御プログラム。
【請求項１８】
プリンタと複数のスキャナとの各々の作動を制御する制御部を備えた制御装置であって、
前記制御部は、
前記複数のスキャナによるスキャン処理の対象となる複数の原稿の枚数を取得する原稿枚数取得手段と、
前記複数のスキャナのスキャン処理によって得られた複数の原稿の各々に係る複数のスキャンデータに基づいて、前記プリンタによる印刷処理が行われる場合に、前記複数のスキャナによるスキャン処理が同時に開始することを条件として、前記原稿枚数取得手段によって取得された枚数の原稿の前記複数のスキャナの各々への分配数を演算する第１分配数演算手段と、
を有し、
前記第１分配数演算手段は、
前記複数のスキャナによるスキャン処理によって得られた複数の原稿の各々に係る複数のスキャンデータに基づく前記プリンタによる印刷処理が、該複数のスキャンデータの各々を生成するためのスキャン処理が完了した後に行われるとともに、最も早く完了するように、前記複数のスキャナへの分配数を演算することを特徴とする制御装置。
【請求項１９】
他の装置と通信を行うための通信部と、
ユーザ操作に応じた信号を入力するための入力部と、
表示部と、
制御部と、
を備えた制御装置であって、
前記制御部は、
前記通信部により通信可能な複数のスキャナから、入力部より受信した信号に従い複数のスキャナを選択するスキャナ選択手段と、
入力部より受信した信号に従い、コピー処理及びスキャン処理のうち、何れか選択する処理選択手段と、
前記処理選択手段において、コピー処理が選択された場合に、前記通信部により通信可能なプリンタから、入力部より受信した信号に従いプリンタを選択するプリンタ選択手段と、
前記コピー処理のコピー元、又はスキャン処理の対象となる複数の原稿の枚数を取得する原稿枚数取得手段と、
前記処理選択手段において、コピー処理が選択された場合に、前記原稿枚数取得手段によって取得された枚数の原稿の前記スキャナ選択手段により選択された複数のスキャナの各々への分配数を演算する第１分配数演算手段と、
前記処理選択手段において、スキャン処理が選択された場合に、前記原稿枚数取得手段によって取得された枚数の原稿の前記スキャナ選択手段により選択された複数のスキャナの各々への分配数を、前記第１分配演算手段とは異なるアルゴリズムに従い演算する第２分配数演算手段と、
前記第１分配数演算手段、又は、前記第２分配演算手段により演算された前記複数のスキャナへの分配数を、前記複数のスキャナの各々に対応づけて、前記表示部に表示させる分配数表示手段と、
を有することを特徴とする制御装置。
【発明の詳細な説明】
【技術分野】
【０００１】
本発明は、プリンタと複数のスキャナとの各々の作動を制御する制御装置等に関する。
【背景技術】
【０００２】
複数の原稿をスキャナでスキャンし、そのスキャンデータに基づく印刷処理を、プリンタで行う際に、原稿の枚数が非常に多い場合には、非常に長い時間を要する。このようなことに鑑みて、下記特許文献には、複数のスキャナによりスキャン処理を実行し、そのスキャンデータに基づく印刷処理を、プリンタにより行う技術が記載されている。
【先行技術文献】
【特許文献】
【０００３】
【特許文献１】特開平１１−２１９２７０号公報
【特許文献２】特開２００４−２０７７７９号公報
【発明の概要】
【発明が解決しようとする課題】
【０００４】
上記特許文献に記載の技術によれば、複数の原稿をスキャナでスキャンし、そのスキャンデータに基づく印刷処理の完了を、ある程度、早めることが可能となる。しかしながら、印刷処理の完了は早ければ早いほど好ましい。本発明は、そのような事情に鑑みてなされたものであり、本発明の課題は、複数の原稿を複数のスキャナでスキャンし、そのスキャンデータに基づく印刷処理の完了を早めることである。
【課題を解決するための手段】
【０００５】
上記課題を解決するために、本発明の制御プログラムは、プリンタと複数のスキャナとの各々を制御する制御装置のコンピュータが読み取り可能な制御プログラムであって、前記複数のスキャナによるスキャン処理の対象となる複数の原稿の枚数を取得する原稿枚数取得手段と、前記複数のスキャナのスキャン処理によって得られた複数の原稿の各々に係る複数のスキャンデータに基づいて、前記プリンタによる印刷処理が行われる場合に、前記複数のスキャナによるスキャン処理が同時に開始することを条件として、前記原稿枚数取得手段によって取得された枚数の原稿の前記複数のスキャナの各々への分配数を演算する第１分配数演算手段と、して前記コンピュータを機能させ、前記第１分配数演算手段は、前記複数のスキャナによるスキャン処理によって得られた複数の原稿の各々に係る複数のスキャンデータに基づく前記プリンタによる印刷処理が、該複数のスキャンデータの各々を生成するためのスキャン処理が完了した後に行われるとともに、最も早く完了するように、前記複数のスキャナへの分配数を演算することを特徴とする。
【発明の効果】
【０００６】
本発明の制御プログラム等では、複数のスキャナによるスキャン処理によって得られた複数の原稿の各々に係る複数のスキャンデータに基づく印刷処理が、該複数のスキャンデータの各々を生成するためのスキャン処理が完了した後に行われるとともに、最も早く完了するように、複数のスキャナへの原稿の分配数が演算される。これにより、印刷処理が、スキャン処理待ちのために中断することがなくなり、スキャンデータに基づく印刷処理の完了を早めることが可能となる。
【図面の簡単な説明】
【０００７】
【図１】通信システム１のブロック図である。
【図２】携帯電話１０のブロック図である。
【図３】携帯電話１０のパネル２４に表示された画面を示す図である。
【図４】携帯電話１０のパネル２４に表示された画面を示す図である。
【図５】携帯電話１０のパネル２４に表示された画面を示す図である。
【図６】携帯電話１０のパネル２４に表示された画面を示す図である。
【図７】携帯電話１０のパネル２４に表示された画面を示す図である。
【図８】携帯電話１０のパネル２４に表示された画面を示す図である。
【図９】携帯電話１０のパネル２４に表示された画面を示す図である。
【図１０】携帯電話１０のパネル２４に表示された画面を示す図である。
【図１１】携帯電話１０のパネル２４に表示された画面を示す図である。
【図１２】携帯電話１０のパネル２４に表示された画面を示す図である。
【図１３】最速スキャン処理でのスキャナ７０，９０，９２への原稿の分配数を示す図である。
【図１４】携帯電話１０のパネル２４に表示された画面を示す図である。
【図１５】スキャナ７０のパネル７８に表示された画面を示す図である。
【図１６】スキャナ９０のパネル７８に表示された画面を示す図である。
【図１７】スキャナ９２のパネル７８に表示された画面を示す図である。
【図１８】スキャナ７０，９０，９２のパネル７８に表示された画面を示す図である。
【図１９】携帯電話１０のパネル２４に表示された画面を示す図である。
【図２０】スキャナ７０のパネル７８に表示された画面を示す図である。
【図２１】スキャナＡ，Ｂ，Ｃに原稿を分配する際の原稿の分割ポイント２００，２０２を示す図である。
【図２２】最速コピー処理でのスキャナＡ，Ｂ，Ｃへの原稿の分配数を示す図である。
【図２３】最速コピー処理でのスキャナ７０，９０，９２への原稿の分配数を示す図である。
【図２４】携帯電話１０のパネル２４に表示された画面を示す図である。
【図２５】スキャナ７０のパネル７８に表示された画面を示す図である。
【図２６】スキャナ９０のパネル７８に表示された画面を示す図である。
【図２７】スキャナ９２のパネル７８に表示された画面を示す図である。
【図２８】プリンタ５０のパネル５８に表示された画面を示す図である。
【図２９】携帯電話１０のパネル２４に表示された画面を示す図である。
【図３０】スキャナ７０のパネル７８に表示された画面を示す図である。
【図３１】プリンタ５０のパネル５８に表示された画面を示す図である。
【図３２】スキャナ７０，９０，９２のパネル７８に表示された画面を示す図である。
【図３３】携帯電話１０の動作フローチャートを示す図である。
【図３４】携帯電話１０の動作フローチャートを示す図である。
【図３５】携帯電話１０の動作フローチャートを示す図である。
【図３６】携帯電話１０の動作フローチャートを示す図である。
【図３７】携帯電話１０の動作フローチャートを示す図である。
【図３８】携帯電話１０の動作フローチャートを示す図である。
【図３９】携帯電話１０の動作フローチャートを示す図である。
【図４０】携帯電話１０の動作フローチャートを示す図である。
【図４１】携帯電話１０の動作フローチャートを示す図である。
【図４２】携帯電話１０の動作フローチャートを示す図である。
【図４３】スキャナ７０，９０，９２の動作フローチャートを示す図である。
【図４４】スキャナ７０，９０，９２の動作フローチャートを示す図である。
【図４５】スキャナ７０，９０，９２の動作フローチャートを示す図である。
【図４６】スキャナ７０，９０，９２の動作フローチャートを示す図である。
【図４７】プリンタ５０の動作フローチャートを示す図である。
【図４８】プリンタ５０の動作フローチャートを示す図である。
【図４９】変形例の進捗状況グラフ３１０を示す図である。
【図５０】変形例の進捗状況グラフ３２０を示す図である。
【発明を実施するための形態】
【０００８】
＜通信システムの構成＞
図１に、本願に係る実施形態として例示される通信システム１のブロック図を示す。通信システム１は、携帯電話（本発明の制御装置の一例）１０、アクセスポイント４０、プリンタ（本発明のプリンタの一例）５０，６２，６４、スキャナ（本発明のスキャナの一例）７０，９０，９２を備える。携帯電話１０とプリンタ５０，６２，６４とスキャナ７０，９０，９２とは、既知の無線ＬＡＮ端末装置としての機能を備えており、アクセスポイント４０を介して、互いにデータの送受信を行うことが可能である。
【０００９】
携帯電話１０の構成について説明する。携帯電話１０は、図２に示すように、ＣＰＵ（Central Processing Unitの略）（本発明の制御部およびコンピュータの一例）１２、記憶部１４、無線ＬＡＮＩ／Ｆ（本発明の通信部の一例）２０、携帯電話通信Ｉ／Ｆ２２、パネル（本発明の表示部の一例）２４、ボタン入力部（本発明の入力部の一例）２６を主に備えている。これらの構成要素は、入出力ポート３０を介して互いに通信可能とされている。
【００１０】
無線ＬＡＮＩ／Ｆ２０は、無線ＬＡＮ方式のインフラストラクチャーモード（複数の無線ＬＡＮ端末装置が、アクセスポイントを介してデータ通信するモード）に準拠する無線通信３２（電波を用いたデータ通信）を行うことが可能とされている。無線通信３２は、ＩＥＥＥの８０２．１１の規格およびそれに準ずる規格に基づいて、Ｗｉ−Ｆｉ(R)（Ｗｉ-Ｆｉ Ａｌｌｉａｎｃｅの登録商標）方式の無線通信である。このため、携帯電話１０は、アクセスポイント４０へアクセスし、無線通信３２を行える状態になれば、アクセスポイント４０を介して、プリンタ５０，６２，６４及びスキャナ７０，９０，９２とデータ通信することが可能になる。
【００１１】
携帯電話通信Ｉ／Ｆ２２は、基地局３６との間で携帯電話通信の方式に準拠する無線通信３８を行う。このため、携帯電話１０は、基地局３６へアクセスし、携帯電話通信の方式に準拠する無線通信３８を行える状態になれば、基地局３６を介してデータ通信することが可能になる。
【００１２】
ＣＰＵ１２は、記憶部１４内の制御プログラム（本発明の制御プログラムの一例）４６に従って処理を実行する。制御プログラム４６は、プリンタ５０，６２，６４に印刷処理を実行させ，スキャナ７０，９０，９２にスキャン処理を実行させるため、ＣＰＵ１２に指令をさせるためのプログラムである。なお、制御プログラム４６等のプログラムを実行するＣＰＵ１２のことを、単にプログラム名でも記載する場合がある。例えば、「制御プログラム４６が」という記載は、「制御プログラム４６を実行するＣＰＵ１２が」ということを意味する場合がある。
【００１３】
また、記憶部１４は、データ記憶領域４８を備える。データ記憶領域４８は、スキャナ７０，９０，９２から取得したスキャンデータ、制御プログラム４６の実行に必要なデータなどを記憶する領域である。なお、記憶部１４は、ＲＡＭ（Random Access Memoryの略）、ＲＯＭ（Read Only Memoryの略）、フラッシュメモリー、ＨＤＤ（ハードディスクの略）、ＣＰＵ１２が備えるバッファなどが組み合わされて構成されている。
【００１４】
パネル２４は、携帯電話１０の各種機能を表示する表示面を備える。ボタン入力部２６は、パネル２４と一体的に構成されており、入力媒体のパネル２４への接近・接触を検出し、ユーザによるボタン操作を受け付ける。
【００１５】
プリンタ５０，６２，６４は、略同じ構成であるため、プリンタ５０の構成について説明する。プリンタ５０は、図１に示すように、ＣＰＵ５２、記憶部５４、無線ＬＡＮＩ／Ｆ５６、パネル５８を主に備えている。これらの構成要素は、入出力ポート６０を介して互いに通信可能とされている。
【００１６】
無線ＬＡＮＩ／Ｆ５６は、無線ＬＡＮ方式のインフラストラクチャーモードに準拠する無線通信３２を行うことが可能とされている。このため、プリンタ５０は、アクセスポイント４０へアクセスし、無線通信３２を行える状態になれば、アクセスポイント４０を介して、携帯電話１０及びスキャナ７０，９０，９２とデータ通信することが可能になる。
【００１７】
ＣＰＵ５２は、記憶部５４内の印刷プログラム６６に従って処理を実行する。印刷プログラム６６は、携帯電話１０から送信される画像データに基づく印刷処理を、ＣＰＵ５２に実行させるためのプログラムである。なお、印刷プログラム６６等のプログラムを実行するＣＰＵ５２のことを、単にプログラム名でも記載する場合がある。例えば、「印刷プログラム６６が」という記載は、「印刷プログラム６６を実行するＣＰＵ５２が」ということを意味する場合がある。
【００１８】
また、記憶部５４は、データ記憶領域６８を備える。データ記憶領域６８は、携帯電話１０から送信される画像データ、印刷プログラム６６の実行に必要なデータなどを記憶する領域である。なお、記憶部５４は、ＲＡＭ、ＲＯＭ、フラッシュメモリー、ＨＤＤ、ＣＰＵ５２が備えるバッファなどが組み合わされて構成されている。
【００１９】
パネル５８は、プリンタ５０の各種機能を表示する表示面を備える。
【００２０】
スキャナ７０，９０，９２は、略同じ構成であるため、スキャナ７０の構成について説明する。スキャナ７０は、ＡＤＦ（Auto Document Feederの略）（不図示）にセットされた複数の原稿を１枚ずつスキャンして、１枚毎にスキャンデータを作成する。なお、スキャナ７０は、ＡＤＦにセットされた原稿の片面をスキャンする構造のスキャナである。スキャナ７０は、ＣＰＵ７２、記憶部７４、無線ＬＡＮＩ／Ｆ７６、パネル７８、重量センサ８０を主に備えている。これらの構成要素は、入出力ポート８２を介して互いに通信可能とされている。
【００２１】
無線ＬＡＮＩ／Ｆ７６は、無線ＬＡＮ方式のインフラストラクチャーモードに準拠する無線通信３２を行うことが可能とされている。このため、スキャナ７０は、アクセスポイント４０へアクセスし、無線通信３２を行える状態になれば、アクセスポイント４０を介して、携帯電話１０及びプリンタ５０とデータ通信することが可能になる。
【００２２】
ＣＰＵ７２は、記憶部７４内のスキャンプログラム８６に従って処理を実行する。スキャンプログラム８６は、スキャンデータを携帯電話１０に送信するための処理を、ＣＰＵ７２に実行させるためのプログラムである。なお、スキャンプログラム８６等のプログラムを実行するＣＰＵ７２のことを、単にプログラム名でも記載する場合がある。例えば、「スキャンプログラム８６が」という記載は、「スキャンプログラム８６を実行するＣＰＵ７２が」ということを意味する場合がある。
【００２３】
また、記憶部７４は、データ記憶領域８８を備える。データ記憶領域８８は、スキャンプログラム８６の実行に必要なデータなどを記憶する領域である。なお、記憶部７４は、ＲＡＭ、ＲＯＭ、フラッシュメモリー、ＨＤＤ、ＣＰＵ５２が備えるバッファなどが組み合わされて構成されている。
【００２４】
パネル７８は、スキャナ７０の各種機能を表示する表示面を備える。重量センサ８０は、ＡＤＦにセットされた原稿の重量を検出するセンサである。
【００２５】
＜最速スキャン処理および最速コピー処理＞
通信システム１では、３台のスキャナ７０，９０，及び９２から選択された複数のスキャナを用いた最速スキャン処理と、３台のスキャナ７０，９０，及び９２から選択された複数のスキャナにより得られたスキャンデータをプリンタ５０，６２，及び６４から選択された１台のプリンタを用いて印刷する最速コピー処理とが、携帯電話１０の操作により指令される。なお、最速スキャン処理とは、用いる複数のスキャナによるスキャン処理が同時に開始することを条件として、該複数のスキャナのすべてにおける、スキャンの開始から完了までに要する時間が最短となるよう、各スキャナに原稿を配分して行うスキャン処理のことである。また、最速コピー処理とは、用いる複数のスキャナによるスキャン処理が同時に開始することを条件として、該複数のスキャナのすべてにおける、スキャンの開始から、印刷完了までに要する時間が最短となるよう、各スキャナに原稿を配分して行うコピー処理のことである。以下に、携帯電話１０の操作により指令される最速スキャン処理と最速コピー処理の各々について、詳しく説明する。
【００２６】
最速スキャン処理、若しくは、最速コピー処理が行われる際には、図３に示すように、携帯電話１０のパネル２４に処理選択画面９３が表示される。処理選択画面９３には、コピー選択ボタン９４とスキャン選択ボタン９５とが表示され、ユーザは、最速コピー処理を行いたい場合には、コピー選択ボタン９４を操作し、最速スキャン処理を行いたい場合には、スキャン選択ボタン９５を操作する。
【００２７】
ユーザにより、コピー選択ボタン９４が操作されると、図４に示すように、携帯電話１０のパネル２４にプリンタ・スキャナ選択画面９６が表示される。プリンタ・スキャナ選択画面９６には、プリンタ表示欄９７とスキャナ表示欄９８とプリンタ検索ボタン９９とスキャナ検索ボタン１００と完了ボタン１０１が表示される。プリンタ表示欄９７は、ユーザにより選択されたプリンタ名を表示するための欄であり、スキャナ表示欄９８は、ユーザにより選択されたスキャナ名を表示するための欄である。プリンタ検索ボタン９９は、携帯電話１０とデータ通信可能なプリンタを検索するためのボタンであり、スキャナ検索ボタン１００は、携帯電話１０とデータ通信可能なスキャナを検索するためのボタンである。完了ボタン１０１は、プリンタの選択および、スキャナの選択が完了した場合に操作するためのボタンである。
【００２８】
プリンタ検索ボタン９９が、ユーザにより操作されると、図５に示すように、プリンタ・スキャナ選択画面９６の上にプリンタ検索画面１０２が表示される。プリンタ検索画面１０２には、携帯電話１０とデータ通信可能なプリンタ、具体的には、プリンタ５０，６２，６４の名前が表示される。そして、プリンタ検索画面１０２に表示されたプリンタ名のうちの任意のプリンタ名が、操作されると、操作されたプリンタ名に対応するプリンタが選択される。なお、選択されたプリンタが、複数の印刷速度で印刷可能である場合には、プリンタ検索画面１０２の上に印刷速度選択画面が表示される。
【００２９】
具体的には、例えば、プリンタ６２が、１枚／秒と２枚／秒との２種類の印刷速度で印刷可能であり、プリンタ検索画面１０２でプリンタ６２の名前が操作された場合には、図６に示すように、プリンタ検索画面１０２の上に印刷速度選択画面１０４が表示される。印刷速度選択画面１０４には、１枚／秒と２枚／秒との２種類の印刷速度が表示され、何れかの印刷速度が操作されると、その印刷速度がデータ記憶領域４８に記憶される。これにより、プリンタの選択が完了する。なお、プリンタ検索画面１０２で選択されたプリンタが、１種類の印刷速度でしか印刷できない場合には、印刷速度選択画面１０４は表示されず、その１種類の印刷速度がデータ記憶領域４８に記憶され、プリンタの選択が完了する。
【００３０】
また、スキャナ検索ボタン１００が、ユーザにより操作されると、プリンタ・スキャナ選択画面９６の上にスキャナ検索画面（図示省略）が表示される。スキャナ検索画面には、携帯電話１０とデータ通信可能なスキャナ、具体的には、スキャナ７０，９０，９２の名前が表示される。そして、スキャナ検索画面に表示されたスキャナ名のうちの任意のスキャナ名が、操作されると、操作されたスキャナ名に対応するスキャナが選択される。また、スキャナの選択においても、スキャン速度の選択が行われるが、プリンタの選択時における印刷速度の選択と同様であるため、説明を省略する。
【００３１】
ちなみに、通信システム１では、複数のスキャナによりスキャン処理が行われるため、スキャナは、複数台選択される。そして、上述した手順により、プリンタの選択、および、複数台のスキャナの選択が完了した後に、完了ボタン１０１が操作されると、原稿枚数を設定するための処理が行われる。
【００３２】
また、処理選択画面９３でスキャン選択ボタン９５が操作されると、携帯電話１０のパネル２４にスキャナ選択画面（図示省略）が表示され、スキャナの選択が行われる。ただし、スキャナ選択画面は、プリンタ・スキャナ選択画面９６からプリンタ表示欄９７とプリンタ検索ボタン９９を除いた画面であり、スキャナ選択画面でのスキャナの選択は、プリンタ・スキャナ選択画面９６でのスキャナの選択と同じであるため、説明を省略する。
【００３３】
プリンタ・スキャナ選択画面９６若しくは、スキャナ選択画面において、完了ボタン１０１が操作されると、原稿枚数を設定するための処理が行われる。具体的には、完了ボタン１０１の操作により、図７に示すように、携帯電話１０のパネル２４に指定選択画面１０６が表示される。指定選択画面１０６には、頁番号指定ボタン１０８と枚数指定ボタン１１０が表示される。頁番号指定ボタン１０８は、最速スキャン処理、若しくは、最速コピー処理の対象となる原稿の枚数を、原稿に記された頁番号に基づいて演算するためのボタンである。また、枚数指定ボタン１１０は、最速スキャン処理、若しくは、最速コピー処理の対象となる原稿の枚数を、直接、入力するためのボタンである。 
【００３４】
ユーザにより、枚数指定ボタン１１０が操作されると、図８に示すように、携帯電話１０のパネル２４に原稿枚数入力画面１１２が表示される。原稿枚数入力画面１１２には、原稿枚数入力欄１１４とＯＫボタン１１６が表示される。原稿枚数入力欄１１４は、最速スキャン処理、若しくは、最速コピー処理の対象となる原稿の枚数を入力するための欄である。そして、ユーザ操作により、原稿枚数入力欄１１４に任意の数が入力され、ＯＫボタン１１６が操作されることで、原稿枚数入力欄１１４に入力された数が、最速スキャン処理、若しくは、最速コピー処理の対象となる原稿の枚数として、携帯電話１０のデータ記憶領域４８に記憶される。
【００３５】
また、ユーザにより、頁番号指定ボタン１０８が操作されると、図９に示すように、携帯電話１０のパネル２４に頁数入力画面１１８が表示される。頁数入力画面１１８には、頁数入力欄１２０とＯＫボタン１２２が表示される。頁数入力欄１２０は、処理の対象となる原稿のうちの表紙，目次等の頁番号が記されていない頁が何頁分あるかを入力するための欄である。そして、ユーザ操作により、頁数入力欄１２０に任意の数が入力され、ＯＫボタン１２２が操作されると、図１０に示すように、携帯電話１０のパネル２４に、レイアウト数入力画面１２４が表示される。
【００３６】
レイアウト数入力画面１２４には、レイアウト数入力欄１２６とＯＫボタン１２８が表示される。レイアウト数入力欄１２６は、１枚の原稿に記されている頁番号の数を入力するための欄である。つまり、例えば、１枚の原稿に４頁分のコンテンツが記されている場合には、４つの頁番号が記されているので、レイアウト数入力欄１２６に、「４」が入力される。そして、ユーザ操作により、レイアウト数入力欄１２６に任意の数が入力され、ＯＫボタン１２８が操作されると、図１１に示すように、携帯電話１０のパネル２４に、開始頁番号入力画面１２９が表示される。
【００３７】
開始頁番号入力画面１２９には、開始頁番号入力欄１３０とＯＫボタン１３１が表示される。開始頁番号入力欄１３０は、処理の対象となる原稿の開始頁の数頁番号を入力するための欄である。そして、ユーザ操作により、開始頁番号入力欄１３０に任意の数が入力され、ＯＫボタン１３１が操作されると、図１２に示すように、携帯電話１０のパネル２４に、最終頁番号入力画面１３２が表示される。
【００３８】
最終頁番号入力画面１３２には、最終頁番号入力欄１３３とＯＫボタン１３４が表示される。最終頁番号入力欄１３３は、処理の対象となる原稿の最終頁の頁番号を入力するための欄である。そして、ユーザ操作により、最終頁番号入力欄１３３に任意の数が入力され、ＯＫボタン１３４が操作されると、処理の対象となる原稿の枚数が、演算される。
【００３９】
具体的には、頁数入力欄１２０に入力された数をａ、レイアウト数入力欄１２６に入力された数をｂ、開始頁番号入力欄１３０に入力された数をｃと、最終頁番号入力欄１３３に入力された数をｄとした場合に、処理の対象となる原稿の枚数Ａが、下記式に従って、演算される。
Ａ＝｛ａ＋（ｄ−ｃ＋１）｝／ｂ
なお、Ａが整数でない場合には、小数点第一位で切り上げられる。つまり、頁番号が記されていない頁数が３（＝ａ）、レイアウト数が４（＝ｂ）、開始頁番号が１（＝ｃ）、最終頁番号が１０３（＝ｄ）である場合には、演算値が、｛３＋（１０３−１＋１）｝／４＝２６．５となり、処理の対象となる原稿の枚数Ａは、２７となる。このように演算された原稿の枚数Ａは、処理の対象となる原稿の枚数として、携帯電話１０のデータ記憶領域４８に記憶される。
【００４０】
処理の対象となる原稿の枚数がデータ記憶領域４８に記憶されると、それら複数枚の原稿の各スキャナへの分配数が演算される。まず、最速スキャン処理が行われる場合のスキャナへの分配数の演算手法について説明する。つまり、処理選択画面９３でスキャン選択ボタン９５が操作された場合のスキャナへの分配数の演算手法について説明する。なお、以下の説明では、スキャナ選択画面で３台のスキャナ７０，９０，９２が選択されている場合について説明する。
【００４１】
最速スキャン処理でのスキャナ７０，９０，９２への分配数は、スキャナ７０，９０，９２の各々のスキャン速度を考慮して、スキャナ７０，９０，９２の各々でのスキャン処理時間が均等となるように、演算される。具体的には、スキャナ７０のスキャン速度をＳ１枚／秒、スキャナ９０のスキャン速度をＳ２枚／秒、スキャナ９２のスキャン速度をＳ３枚／秒、処理の対象となる原稿の枚数をＡ枚とした場合に、スキャナ７０への原稿の分配数Ａ１、スキャナ９０への原稿の分配数Ａ２、スキャナ９２への原稿の分配数Ａ３は、下記式に従って、演算される。
Ａ１＝Ａ×Ｓ１／（Ｓ１＋Ｓ２＋Ｓ３）
Ａ２＝Ａ×Ｓ２／（Ｓ１＋Ｓ２＋Ｓ３）
Ａ３＝Ａ×Ｓ３／（Ｓ１＋Ｓ２＋Ｓ３）
なお、スキャナ７０，９０，９２が、複数のスキャン速度のいずれかにおいて、スキャン処理を実行可能な場合については、印刷速度選択画面１０４において、スキャナ７０についてはスキャン速度をＳ１枚／秒が、スキャナ９０についてはスキャン速度をＳ２枚／秒が、スキャナ９２についてはスキャン速度をＳ３枚／秒が選択されているとする。
【００４２】
上記式に従って、スキャナ７０，９０，９２の各々への分配数を演算することで、スキャナ７０，９０，９２の各々でのスキャン時間（分配数（Ａ１，Ａ２，Ａ３）／スキャン速度（Ｓ１，Ｓ２，Ｓ３））は、Ａ／（Ｓ１＋Ｓ２＋Ｓ３）となり、３台のスキャナ７０，９０，９２のスキャン処理時間は均等となる。
【００４３】
例えば、処理の対象となる原稿の枚数が２７（＝Ａ）枚である場合について考えてみる。なお、スキャナ７０および、スキャナ９０のスキャン速度は、１（＝Ｓ１，Ｓ２）枚／秒であり、スキャナ９２の最速のスキャン速度は、０．２５（＝Ｓ３）枚／秒である。このような場合には、スキャナ７０への原稿の分配数Ａ１は、２７×１／（１＋１＋０．２５）＝１２となり、スキャナ９０への原稿の分配数Ａ２は、２７×１／（１＋１＋０．２５）＝１２となり、スキャナ９２への原稿の分配数Ａ１は、２７×０．２５／（１＋１＋０．２５）＝３となる。このように、スキャナ７０，９０，９２の各々への分配数を演算することで、図１３に示すように、スキャナ７０，９０，９２の各々でのスキャン時間は、２７／（１＋１＋０．２５）＝１２秒となり、３台のスキャナ７０，９０，９２のスキャン処理時間は均等となる。これにより、最速でスキャン処理を行うことが可能となる。
【００４４】
上述した手法により、最速スキャン処理でのスキャナ７０，９０，９２への分配数が演算されると、携帯電話１０のパネル２４に、図１４に示すように、分配数報知画面１３６が表示される。分配数報知画面１３６には、上述した手法により演算された分配数が、スキャナ７０，９０，９２毎に表示される。ただし、指定選択画面１０６で頁番号指定ボタン１０８が操作されている場合には、演算された分配数に応じた頁番号が表示される。
【００４５】
つまり、図１３でのスキャナ７０への分配数は、１２枚であり、１枚目の原稿から１２枚目の原稿が、スキャナ７０に分配される。前述したように、頁番号が記されていない頁数が３（＝ａ）、レイアウト数が４（＝ｂ）、開始頁番号が１（＝ｃ）、最終頁番号が１０３（＝ｄ）である場合には、１枚目の原稿は、頁番号が記されていない頁を３頁分と、１頁目を示す頁番号が記された頁を含み、１２枚目の原稿は、４２，４３，４４，４５頁目を示す頁番号が記された頁を含む。このため、スキャナ７０には、表紙から４５頁目を示す頁番号が記された原稿が分配されることから、分配数報知画面１３６には、スキャナ７０への分配数として、「表紙〜４５頁」と表示される。なお、スキャナ９０および、スキャナ９２に対しても、スキャナ７０と同様に、演算された分配数に応じた頁番号が表示される。
【００４６】
また、最速スキャン処理でのスキャナ７０，９０，９２への分配数が演算されると、演算された分配数が、無線ＬＡＮＩ／Ｆ２０を介して、スキャナ７０，９０，９２に送信される。そして、スキャナ７０，９０，９２の各々のパネル７８に、スキャナ７０，９０，９２の各々に応じた分配数が表示される。具体的には、スキャナ７０のパネル７８には、図１５に示すように、表紙から４５頁目を示す頁番号が記された原稿をＡＤＦにセットする旨のコメントが表示され、スキャナ９０のパネル７８には、図１６に示すように、４６頁目を示す頁番号が記された原稿から９３頁目を示す頁番号が記された原稿をＡＤＦにセットする旨のコメントが表示され、スキャナ９２のパネル７８には、図１７に示すように、９４頁目を示す頁番号が記された原稿から１０３頁目を示す頁番号が記された原稿をＡＤＦにセットする旨のコメントが表示される。
【００４７】
なお、スキャナ７０，９０，９２の各々では、パネル７８に分配数が表示される前、つまり、携帯電話１０から分配数に関する情報が送信される前は、図１８に示すように、条件入力待ち画面１３８が表示されている。これにより、携帯電話１０から分配数に関する情報が送信される前、つまり、携帯電話１０で原稿の枚数等が入力されている間に、入力待ち画面１３８がパネル７８に表示されるため、他のユーザによるスキャナ７０，９０，９２の使用を防止することが可能となる。
【００４８】
携帯電話１０のパネル２４および、スキャナ７０，９０，９２のパネル７８に、最速スキャン処理でのスキャナ７０，９０，９２への分配数が表示されると、ユーザは、表示に従って、分配数に応じた原稿を、スキャナ７０，９０，９２の各々のＡＤＦにセットする。そして、ユーザは、携帯電話１０のパネル２４に表示されているスタートボタン（図１４参照）１４０、若しくは、スキャナ９２のパネル７８に表示されているスタートボタン（図１７参照）１４２を操作することで、スキャナ７０，９０，９２の各々でのスキャン処理が開始する。
【００４９】
なお、スキャナ７０および、スキャナ９０のパネル７８には、スタートボタンは表示されていない。これは、全ての原稿がスキャナ７０，９０，９２にセットされていない状態で、スキャン処理が開始することを防止するためである。詳しくは、原稿がスキャナ７０，９０，９２の各々のＡＤＦにセットされる場合には、通常、１枚目の原稿から順次、最後の原稿までセットされる。つまり、スキャナ７０に原稿がセットされた後に、スキャナ９０に原稿がセットされ、最後に、スキャナ９２に原稿がセットされる。このため、スキャナ７０および、スキャナ９０のパネル７８に、スタートボタンが表示されていないことから、全ての原稿がスキャナ７０，９０，９２にセットされていない状態で、スキャン処理を開始することができない。このように、スキャナ７０および、スキャナ９０のパネル７８には、スタートボタンを表示しないことで、誤ったスキャン処理の発生を防止することが可能となる。
【００５０】
スキャナ７０，９０，９２の各々において、スキャン処理が開始すると、携帯電話１０のパネル２４および、スキャナ７０，９０，９２のパネル７８に、スキャン処理の進捗状況を示す画面が表示される。詳しくは、携帯電話１０のパネル２４には、図１９に示すように、進捗状況画面１５０が表示される。進捗状況画面１５０には、進捗状況グラフ１５２とキャンセルボタン１５４が表示される。キャンセルボタン１５４は、スキャナ７０，９０，９２でのスキャン処理を停止するためのボタンであり、キャンセルボタン１５４が操作されると、携帯電話１０からスキャナ７０，９０，９２に、スキャン処理を停止する旨の指令が送信される。また、進捗状況グラフ１５２は、第１表示部１５６と第２表示部１５８と第３表示部１６０とによって構成されている。第１表示部１５６は、黒色部１６２と白抜き部１６４とに区分けされており、スキャナ７０で１枚の原稿のスキャン処理が完了する毎に、黒色部１６２が伸長し、白抜き部１６４が収縮する。
【００５１】
具体的には、スキャナ７０で１枚もスキャン処理が完了していない状態では、第１表示部１５６は、白抜き部１６４のみによって構成されており、黒色部１６２は存在していない。そして、スキャナ７０で１枚の原稿のスキャン処理が完了する毎に、スキャナ７０は、携帯電話１０に１枚の原稿のスキャンデータを送信する。１枚の原稿のスキャンデータを受信した携帯電話１０では、第１表示部１５６の幅を、スキャナ７０の原稿の分配数で等分した幅、つまり、１２等分した幅の黒色部１６２が第１表示部１５６に表示される。一方、白抜き部１６４は、黒色部１６２の幅に相当する長さ、収縮する。つまり、携帯電話１０は、１枚の原稿のスキャンデータをスキャナ７０から受信する毎に、黒色部１６２を伸長させ、白抜き部１６４を収縮させる。そして、スキャナ７０でのスキャン処理が完了すると、第１表示部１５６は、黒色部１６２のみとなり、白抜き部１６４は消える。このように、第１表示部１５６の黒色部１６２の占める比率により、スキャナ７０でのスキャン処理の進捗状況が解る。
【００５２】
また、第２表示部１５８も、第１表示部１５６と同様に、黒色部１６６と白抜き部１６８とから構成されており、スキャナ９０で１枚の原稿のスキャン処理が完了する毎に、黒色部１６６が伸長し、白抜き部１６８が収縮する。これにより、第２表示部１５８の黒色部１６６の占める比率により、スキャナ９０でのスキャン処理の進捗状況が解る。また、第３表示部１６０も、第１表示部１５６と同様に、黒色部１７０と白抜き部１７２とから構成されており、スキャナ９２で１枚の原稿のスキャン処理が完了する毎に、黒色部１７０が伸長し、白抜き部１７２が収縮する。これにより、第３表示部１６０の黒色部１７０の占める比率により、スキャナ９２でのスキャン処理の進捗状況が解る。
【００５３】
また、スキャナ７０のパネル７８には、図２０に示すように、進捗状況画面１８０が表示される。進捗状況画面１８０には、進捗状況グラフ１８２とマーカ１８４とキャンセルボタン１８６が表示される。進捗状況グラフ１８２および、キャンセルボタン１８６は、進捗状況画面１５０の進捗状況グラフ１５２とキャンセルボタン１５４と同じであるため、説明を省略する。また、マーカ１８４は、進捗状況グラフ１８２を構成する第１表示部１８８と第２表示部１９０と第３表示部１９２のうちの、スキャナ７０のスキャン処理の進捗状況を示す表示部を特定するためのしるしである。このため、マーカ１８４は、第１表示部１８８の下に表示されている。
【００５４】
また、スキャナ９０および、スキャナ９２のパネル７８にも、進捗状況画面１８０と略同じの画面が表示されるが、マーカ１８４の表示位置が異なるだけであるため、図示を省略する。なお、スキャナ９０のパネル７８に表示される進捗状況画面では、マーカ１８４は、第２表示部１９０の下に表示され、スキャナ９２のパネル７８に表示される進捗状況画面では、マーカ１８４は、第３表示部１９２の下に表示される。
【００５５】
そして、スキャナ７０，９０，９２の各々でのスキャン処理が進行し、スキャナ７０，９０，９２の各々でのスキャン処理が完了すると、携帯電話１０のパネル２４の進捗状況画面１５０および、スキャナ７０，９０，９２のパネル７８の進捗状況画面１８０において、進捗状況グラフ１５２および、進捗状況グラフ１８２は、黒色部１６２等のみとなり、ユーザは、スキャン処理が完了したことを認知できる。また、スキャナ７０，９０，９２の各々でのスキャン処理が完了し、全てのスキャンデータがスキャナ７０，９０，９２の各々から携帯電話１０に送信されると、携帯電話１０は、全てのスキャンデータを１枚の目の原稿から最後の原稿まで順次、結合し、最速スキャン処理が完了する。
【００５６】
次に、最速コピー処理が行われる場合のスキャナ７０，９０，９２への分配数の演算手法について説明する。つまり、処理選択画面９３でコピー選択ボタン９４が操作された場合のスキャナ７０，９０，９２への分配数の演算手法について説明する。
【００５７】
最速コピー処理でスキャナ７０，９０，９２への分配数が演算される際には、まず、スキャナ７０，９０，９２への分配数の組み合わせパターンの数が演算される。詳しくは、例えば、Ｘ枚の原稿を、３台のスキャナＡ〜Ｃに分配する場合には、図２１に示すように、スキャナＡに分配する原稿とスキャナＢに分配する原稿とを分割するポイント２００と、スキャナＢに分配する原稿とスキャナＣに分配する原稿とを分割するポイント２０２とを決定すればよい。つまり、Ｘ枚の原稿の分割可能なポイント数（Ｘ−１）から２つのポイント２００，２０２を決定すればよい。この場合の２つのポイント２００，２０２の決定パターン数Ｐは、下記式に従って演算することが可能である。
Ｐ＝Ｘ−１Ｃ２＝（Ｘ−１）！／｛（Ｘ−１−２）！×２！｝
【００５８】
上述したように決定されたパターン数Ｐの分配数の組み合わせの中から、プリンタ５０による印刷処理に、スキャンデータの遅延が発生しないように、最適の分配数を決定する。つまり、１枚の原稿に係るスキャンデータに基づく印刷処理の開始は、該１枚の原稿のスキャン処理が完了し、スキャンデータが生成されてから行われるように、最適の分配数を決定する。具体的に、１４枚の原稿を、３台のスキャナＡ〜Ｃに分配する場合について、説明する。なお、スキャナＡのスキャン速度は１／３枚／秒、スキャナＢのスキャン速度は１／２枚／秒、スキャナＣのスキャン速度は１枚／秒とする。また、プリンタの印刷速度は２枚／秒とする。
【００５９】
図２２に示すように、Ｘ軸の単位を経過時間（秒）とし、Ｙ軸の単位を原稿の枚数としたグラフに、プリント処理の進捗状況をグラフ化した直線２０４，２０６，２０８を示す。ちなみに、直線の傾きがプリンタの印刷速度（＝２枚／秒）となっている。図から解るように、直線２０４のように、プリンタによる印刷処理を行った場合には、６枚目の原稿のスキャンデータの生成が印刷処理に間に合わず、スキャンデータの遅延が発生する。一方、直線２０６および、直線２０８のように、プリンタによる印刷処理を行うことで、プリンタによる印刷処理に、スキャンデータの遅延が発生しない。ただし、直線２０８のように、プリンタによる印刷処理を行う場合には、直線２０６のように、プリンタによる印刷処理を行う場合と比較して、印刷処理の完了が、１（＝ｔ２−ｔ１）秒程度遅い。このため、スキャナＡへの分配数を３枚、スキャナＢへの分配数を４枚、スキャナＣへの分配数を７枚とし、印刷処理を、直線２０６のように行うこと、つまり、スキャン処理開始からｔ１秒後に行うことで、スキャンの開始処理から、印刷処理の完了までに要する時間を最短にすることが可能となる。
【００６０】
また、最速スキャン処理と、最速コピー処理を比較するために、最速スキャン処理での分配数の演算手法を説明する際に用いた条件で、最速スキャン処理での分配数の演算手法を説明する。つまり、２７枚の原稿を、３台のスキャナ７０，９０，９２に分配する場合について、説明する。この場合には、２７−１Ｃ２通りの分配数の組み合わせに対して、プリンタ５０による印刷処理にスキャンデータの遅延が発生せずに、最速で印刷処理を完了するか否かを検討する。この検討により、図２３に示すように、スキャナ７０への分配数を８枚、スキャナ９０への分配数を１６枚、スキャナ９２への分配数を３枚とし、印刷処理を、スキャン処理開始から４．５秒後に行うことで、最速コピー処理を行うことが可能となる。
【００６１】
なお、上述した最速スキャン処理での分配数に従って、印刷処理を行った場合には、図１３に示すように、プリンタ５０による印刷処理にスキャンデータの遅延が発生せずに、最速で印刷処理を完了するためには、印刷処理を、スキャン処理開始から６．５秒後に行う必要がある。このことから、最速コピー処理での分配数の演算手法に従って、分配数を演算することで、印刷処理を最速で完了できることが解る。
【００６２】
上述した手法により、最速コピー処理でのスキャナ７０，９０，９２への分配数が演算されると、携帯電話１０のパネル２４に、図２４に示すように、分配数報知画面２１０が表示される。分配数報知画面２１０には、上述した手法により演算された分配数が、スキャナ７０，９０，９２毎に表示される。なお、図２４での分配数報知画面２１０は、指定選択画面１０６で枚数指定ボタン１１０が操作されている場合の画面である。
【００６３】
また、最速コピー処理でのスキャナ７０，９０，９２への分配数が演算されると、演算された分配数が、無線ＬＡＮＩ／Ｆ２０を介して、スキャナ７０，９０，９２に送信される。そして、スキャナ７０，９０，９２の各々のパネル７８に、スキャナ７０，９０，９２の各々に応じた分配数が表示される。具体的には、スキャナ７０のパネル７８には、図２５に示すように、１〜８枚の原稿をＡＤＦにセットする旨のコメントが表示され、スキャナ９０のパネル７８には、図２６に示すように、９〜２４枚の原稿をＡＤＦにセットする旨のコメントが表示され、スキャナ９２のパネル７８には、図２７に示すように、２５〜２７枚の原稿をＡＤＦにセットする旨のコメントが表示される。
【００６４】
なお、最速コピー処理でのスキャナ７０，９０，９２への分配数が演算されると、所定の情報が、無線ＬＡＮＩ／Ｆ２０を介して、プリンタ５０に送信される。プリンタ５０は、その情報を受信すると、プリンタ５０のパネル５８に、図２８に示すように、「コピー原稿を各スキャナに配置してください」というコメントが表示される。これにより、ユーザに、原稿のスキャナへの配置を促すことが可能となる。
【００６５】
携帯電話１０のパネル２４および、スキャナ７０，９０，９２のパネル７８に、最速コピー処理でのスキャナ７０，９０，９２への分配数が表示されると、ユーザは、表示に従って、分配数に応じた原稿を、スキャナ７０，９０，９２の各々のＡＤＦにセットする。そして、ユーザは、携帯電話１０のパネル２４に表示されているスタートボタン（図２４参照）２１２、若しくは、スキャナ９２のパネル７８に表示されているスタートボタン（図２７参照）２１４を操作することで、スキャナ７０，９０，９２の各々でのスキャン処理が開始する。ちなみに、スキャナ７０および、スキャナ９０のパネル７８に、スタートボタンは表示されていない理由は、最速スキャン処理の場合と同様である。
【００６６】
そして、スキャナ７０，９０，９２の各々において、スキャン処理が開始すると、スキャナ７０，９０，９２の各々で１枚の原稿のスキャン処理が完了する毎に、スキャナ７０，９０，９２の各々は、携帯電話１０に１枚の原稿のスキャンデータを送信する。スキャンデータを受信した携帯電話１０では、印刷処理を開始可能な数のスキャンデータを受信しているか否かが判定される。詳しくは、図２３に示すように、プリンタ５０による印刷処理を開始可能な時間（＝４．５秒）では、スキャナ７０から４枚の原稿のスキャンデータを受信している必要がある。このため、スキャナ７０から４枚の原稿のスキャンデータを受信しているか否かが判定され、スキャナ７０から４枚の原稿のスキャンデータを受信している場合に、携帯電話１０からプリンタ５０にスキャンデータが送信される。そして、プリンタ５０では、受信したスキャンデータに基づく印刷処理が開始する。なお、４枚の原稿のスキャンデータを受信する前であっても、少なくとも１枚のスキャンデータを受信していれば、印刷処理を開始させることは可能である。しかし、スキャンデータの生成が、印刷処理に追いつかなくなるタイミングで、プリンタは印刷を一時停止し、次に印刷するスキャンデータを受信したら印刷を再開する必要がある。このような間欠的な印刷は、効率がよくない。インクジェットプリンタであれば印字待機中はノズル面の乾燥を防ぐそのため、キャッピングやフラッシング等を行う必要があり、レーザーであれば、定着器の温度を適温に保つ時間が、必要以上に長くなる等の問題があるためである。そこで、本実施形態ではプリンタ５０は印刷を開始してから完了するまでの時間が最短となるタイミングで、印刷処理を開始する。
【００６７】
なお、携帯電話１０は、印刷処理を開始可能な数のスキャンデータを受信しているか否かを判定するのではなく、スキャン処理の開始から所定時間経過したか否かを判定し、その判定に基づいて、スキャンデータをプリンタ５０に送信してもよい。つまり、スキャン処理の開始から４．５秒経過したか否かを判定し、スキャン処理の開始から４．５秒経過後に、スキャンデータをプリンタ５０に送信してもよい。
【００６８】
また、スキャナ７０，９０，９２の各々でのスキャン処理、および、プリンタ５０での印刷処理が開始すると、携帯電話１０のパネル２４、スキャナ７０，９０，９２のパネル７８および、プリンタ５０のパネル５８に、スキャン処理および印刷処理の進捗状況を示す画面が表示される。詳しくは、携帯電話１０のパネル２４には、図２９に示すように、進捗状況画面２２０が表示される。進捗状況画面２２０には、進捗状況グラフ２２２とキャンセルボタン２２４が表示される。キャンセルボタン２２４は、スキャナ７０，９０，９２によるスキャン処理、および、プリンタ５０による印刷処理を停止するためのボタンであり、キャンセルボタン２２４が操作されると、携帯電話１０からスキャナ７０，９０，９２および、プリンタ５０に、スキャン処理若しくは印刷処理を停止する旨の指令が送信される。
【００６９】
また、進捗状況グラフ２２２は、第１表示部２２６と第２表示部２２８と第３表示部２３０と第４表示部２３２によって構成されている。第１表示部２２６〜第３表示部２３０は、図１９に示す進捗状況画面１５０の第１表示部１５６〜第３表示部１６０と同じであるため、説明を省略する。第４表示部２３２は、第１表示部２２６と同様に、黒色部２３４と白抜き部２３６とに区分けされており、プリンタ５０で１枚の原稿の印刷処理が完了する毎に、黒色部２３４が伸長し、白抜き部２３６が収縮する。
【００７０】
具体的には、プリンタ５０で１枚も印刷処理が完了していない状態では、第４表示部２３２は、白抜き部２３６のみによって構成されており、黒色部２３４は存在していない。そして、プリンタ５０で１枚の原稿の印刷処理が完了する毎に、プリンタ５０は、携帯電話１０に１枚の原稿の印刷処理が完了した旨の情報を送信する。その情報を受信した携帯電話１０では、第１表示部２２６の幅を、処理対象の原稿の枚数で等分した幅、つまり、２７等分した幅の黒色部２３４が第４表示部２３２に表示される。一方、白抜き部２３６は、黒色部２３４の幅に相当する長さ、収縮する。つまり、携帯電話１０は、１枚の原稿の印刷処理が完了した旨の情報をプリンタ５０から受信する毎に、黒色部２３４を伸長させ、白抜き部２３６を収縮させる。そして、プリンタ５０での印刷処理が完了すると、第４表示部２３２は、黒色部２３４のみとなり、白抜き部２３６は消える。このように、第４表示部２３２の黒色部２３４の占める比率により、プリンタ５０での印刷処理の進捗状況が解る。
【００７１】
また、スキャナ７０のパネル７８には、図３０に示すように、進捗状況画面２４０が表示される。進捗状況画面２４０には、進捗状況グラフ２４２とマーカ２４４とキャンセルボタン２４６が表示される。進捗状況グラフ２４２および、キャンセルボタン２４６は、図２９に示す進捗状況画面２２０の進捗状況グラフ２２２とキャンセルボタン２２４と同じであるため、説明を省略する。また、マーカ２４４は、図２０に示す進捗状況画面１８０のマーカ１８４と同じであるため、説明を省略する。なお、スキャナ９０および、スキャナ９２のパネル７８にも、進捗状況画面２４０と略同じの画面が表示されるが、マーカ２４４の表示位置が異なるだけであるため、図示を省略する。ちなみに、スキャナ９０のパネル７８に表示される進捗状況画面では、マーカ２４４は、第２表示部の下に表示され、スキャナ９２のパネル７８に表示される進捗状況画面では、マーカ２４４は、第３表示部の下に表示される。
【００７２】
また、プリンタ５０のパネル５８には、図３１に示すように、進捗状況画面２５０が表示される。進捗状況画面２５０には、進捗状況グラフ２５２とマーカ２５４とキャンセルボタン２５６が表示される。進捗状況グラフ２５２、マーカ２５４および、キャンセルボタン２５６は、図３０に示す進捗状況画面２４０の進捗状況グラフ２４２、マーカ２４４およびキャンセルボタン２４６と同じであるため、説明を省略する。ただし、マーカ２５４は、第４表示部の下に表示される。
【００７３】
また、上記最速スキャン処理および、最速コピー処理において、スキャナ７０，９０，９２の各々のパネル７８に表示された分配数と異なる数の原稿が、スキャナ７０，９０，９２の各々のＡＤＦにセットされた場合には、エラー画面が表示される。詳しくは、スキャナ７０，９０，９２の各々には、上述したように、重量センサ８０が配設されており、ＡＤＦに原稿がセットされると、重量センサ８０により原稿の重量が測定され、測定された原稿の重量が、スキャナ７０，９０，９２の各々から携帯電話１０に送信される。
【００７４】
スキャナ７０，９０，９２の各々から原稿の重量を受信した携帯電話１０では、スキャナ毎の原稿の重量比と、演算されたスキャナ毎の原稿の分配数の比とが比較される。そして、スキャナ毎の原稿の重量比と、演算されたスキャナ毎の原稿の分配数の比との差が、設定値以内であれば、演算された分配数の原稿が、スキャナ７０，９０，９２の各々にセットされたと判断され、スキャン処理が開始される。一方、スキャナ毎の原稿の重量比と、演算されたスキャナ毎の原稿の分配数の比との差が、設定値を超えていれば、演算された分配数の原稿が、スキャナ７０，９０，９２の各々にセットされていないと判断され、エラー画面の表示指令が、携帯電話１０からスキャナ７０，９０，９２の各々に送信される。これにより、スキャナ７０，９０，９２の各々のパネル７８に、図３２に示すように、エラー画面２６０が表示される。また、携帯電話１０のパネル２４にも、エラー画面２６０が表示される。なお、エラー画面２６０のＯＫボタン２６２が操作されることで、再度、原稿の重量比と原稿の分配数の比とが比較される。
【００７５】
なお、上述した最速コピー処理における分配数の演算は、スキャン処理を行うスキャナのスキャン速度が、印刷処理を行う印刷速度より遅いことを前提としている。具体的には、例えば、スキャン速度が２枚／秒であり、印刷速度が１枚／秒である場合には、スキャン速度が２枚／秒のスキャナでスキャン処理を行えば、プリンタによる印刷処理が滞ることなく、印刷処理を行うことが可能である。このため、複数の原稿を複数のスキャナに分配する必要がなく、印刷速度より早いスキャン速度のスキャナによってスキャン処理を行うことで、最も早く印刷処理が終了する。このことから、印刷速度より早いスキャン速度のスキャナが存在する場合には、最速コピー処理において、複数の原稿のスキャンを、そのスキャナ単独で行えばよい。
【００７６】
＜制御プログラム＞
上述した最速スキャン処理および最速コピー処理は、携帯電話１０のＣＰＵ１２において制御プログラム４６が実行され、スキャナ７０，９０，９２のＣＰＵ７２においてスキャンプログラム８６が実行され、プリンタ５０のＣＰＵ５２において印刷プログラム６６が実行されることによって行われる。以下に、図３３乃至図４２を用いて、携帯電話１０のＣＰＵ１２で制御プログラム４６が実行される際のフローを説明し、図４３乃至図４６を用いて、スキャナ７０，９０，９２のＣＰＵ７２でスキャンプログラム８６が実行される際のフローを説明し、図４７及び図４８を用いて、プリンタ５０のＣＰＵ５２で印刷プログラム６６が実行される際のフローを説明する。
【００７７】
制御プログラム４６が実行されると、まず、携帯電話１０のパネル２４に処理選択画面９３が表示される（ステップ（以下、「Ｓ」と略す）１０）。次に、コピー選択ボタン９４が操作されたか否かが、ＣＰＵ１２によって判断される（Ｓ１２）。コピー選択ボタン９４が操作された場合（Ｓ１２のＹＥＳ）には、プリンタ・スキャナ選択画面９６がパネル２４に表示される（Ｓ１４）。そして、Ｓ１６に進む。
【００７８】
Ｓ１６では、図３４に示すスキャナ選択サブルーチンが実行される。スキャナ選択サブルーチンでは、プリンタ・スキャナ選択画面９６でスキャナ検索ボタン１００が選択されているか否かが、ＣＰＵ１２によって判断される（Ｓ３０）。スキャナ検索ボタン１００が選択されている場合（Ｓ３０のＹＥＳ）には、選択されたスキャナは複数のスキャン速度でスキャン可能か否かが、ＣＰＵ１２によって判断される（Ｓ３２）。選択されたスキャナが複数のスキャン速度でスキャン可能である場合（Ｓ３２のＹＥＳ）には、スキャン速度選択画面がパネル２４に表示される（Ｓ３４）。
【００７９】
次に、スキャン速度選択画面において、スキャン速度が選択されたか否かが、ＣＰＵ１２によって判断される（Ｓ３６）。スキャン速度選択画面において、スキャン速度が選択されていない場合（Ｓ３６のＮＯ）には、Ｓ３６の処理が繰り返される。一方、スキャン速度選択画面において、スキャン速度が選択されている場合（Ｓ３６のＹＥＳ）には、スキャン速度がデータ記憶領域４８に記憶される（Ｓ３８）。なお、Ｓ３２で選択されたスキャナが複数のスキャン速度でスキャン可能でない場合（Ｓ３２のＮＯ）には、選択されたスキャナのスキャン速度が、データ記憶領域４８に記憶される（Ｓ３８）。そして、スキャン速度がデータ記憶領域４８に記憶されると、スキャナ選択サブルーチンが終了する。なお、Ｓ３０でスキャナ選択画面のスキャナ検索ボタン１００が選択されていない場合（Ｓ３０のＮＯ）にも、スキャナ選択サブルーチンが終了する。
【００８０】
スキャナ選択サブルーチンが終了すると、メインルーチンに戻り、Ｓ１８の処理が実行される。Ｓ１８では、図３５に示すプリンタ選択サブルーチンが実行される。プリンタ選択サブルーチンでは、プリンタ・スキャナ選択画面９６でプリンタ検索ボタン９９が選択されているか否かが、ＣＰＵ１２によって判断される（Ｓ４０）。プリンタ検索ボタン９９が選択されている場合（Ｓ４０のＹＥＳ）には、選択されたプリンタは複数の印刷速度で印刷可能か否かが、ＣＰＵ１２によって判断される（Ｓ４２）。選択されたプリンタが複数の印刷速度で印刷可能である場合（Ｓ４２のＹＥＳ）には、印刷速度選択画面１０４がパネル２４に表示される（４３４）。
【００８１】
次に、印刷速度選択画面１０４において、印刷速度が選択されたか否かが、ＣＰＵ１２によって判断される（Ｓ４６）。印刷速度選択画面において、印刷速度が選択されていない場合（Ｓ４６のＮＯ）には、Ｓ４６の処理が繰り返される。一方、印刷速度選択画面１０４において、印刷速度が選択されている場合（Ｓ４６のＹＥＳ）には、印刷速度がデータ記憶領域４８に記憶される（Ｓ４８）。なお、Ｓ４２で選択されたプリンタが複数の印刷速度で印刷可能でない場合（Ｓ４２のＮＯ）には、選択されたプリンタの印刷速度が、データ記憶領域４８に記憶される（Ｓ４８）。そして、印刷速度がデータ記憶領域４８に記憶されると、プリンタ選択サブルーチンが終了する。なお、Ｓ４０でプリンタ・スキャナ選択画面９６のプリンタ検索ボタン９９が選択されていない場合（Ｓ４０のＮＯ）にも、プリンタ選択サブルーチンが終了する。
【００８２】
プリンタ選択サブルーチンが終了すると、メインルーチンに戻り、プリンタ及び、複数のスキャナの選択が完了しているか否かが、ＣＰＵ１２によって判断される（Ｓ２０）。プリンタ及び、複数のスキャナの選択が完了していない場合（Ｓ２０のＮＯ）には、Ｓ１６に戻る。一方、プリンタ及び、複数のスキャナの選択が完了していている場合（Ｓ２０のＹＥＳ）には、完了ボタン１０１が操作されているか否かが、ＣＰＵ１２によって判断される（Ｓ２２）。そして、完了ボタン１０１が操作されていない場合（Ｓ２２のＮＯ）には、Ｓ１６に戻る。一方、完了ボタン１０１が操作されている場合（Ｓ２２のＹＥＳ）には、本フローが終了し、スキャナ等の選択および、スキャン速度等の設定が完了する。
【００８３】
また、Ｓ１２でコピー選択ボタン９４ではなく、スキャン選択ボタン９５が操作された場合（Ｓ１２のＮＯ）には、スキャナ選択画面がパネル２４に表示される（Ｓ２４）。そして、Ｓ２６に進む。Ｓ２６では、スキャナ選択サブルーチンが実行されるが、このサブルーチンは、Ｓ１６のスキャナ選択サブルーチンと同じであるため、説明を省略する。スキャナ選択サブルーチンが終了すると、複数のスキャナの選択が完了しているか否かが、ＣＰＵ１２によって判断される（Ｓ２８）。
【００８４】
複数のスキャナの選択が完了していない場合（Ｓ２８のＮＯ）には、Ｓ２６に戻る。一方、複数のスキャナの選択が完了していている場合（Ｓ２８のＹＥＳ）には、完了ボタン１０１が操作されているか否かが、ＣＰＵ１２によって判断される（Ｓ２９）。そして、完了ボタン１０１が操作されていない場合（Ｓ２９のＮＯ）には、Ｓ２６に戻る。一方、完了ボタン１０１が操作されている場合（Ｓ２９のＹＥＳ）には、本フローが終了し、スキャナ等の選択および、スキャン速度等の設定が完了する。
【００８５】
次に、スキャナ等の選択および、スキャン速度等の設定が完了すると、図３６に示すように、他のデバイス、具体的には、上記フローにおいて選択されたスキャナ及びプリンタに、入力待ち画面１３８の表示指令が送信される（Ｓ１００）。続いて、携帯電話１０のパネル２４において、上述した入力処理、具体的には、原稿の枚数を特定するための処理が行われる（Ｓ１０２）。つまり、図７乃至図１２に示す指定選択画面１０６等でのユーザによる入力処理が行われる。そして、ユーザによる入力処理が完了すると、上述した演算手法に従って、スキャナ７０，９０，９２への原稿の分配数が演算される（Ｓ１０４）。
【００８６】
スキャナ７０，９０，９２への原稿の分配数が演算されると、演算された分配数が、パネル２４に表示される。つまり、パネル２４に分配数報知画面１３６，２１０が表示される（Ｓ１０６）。次に、演算された分配数が、スキャナ７０，９０，９２の各々に送信され、分配数をスキャナ７０，９０，９２の各々のパネル７８に表示させる旨の指令も、送信される（Ｓ１０８）。続いて、携帯電話１０のパネル２４に表示された分配数報知画面１３６，２１０のスタートボタン１４０，２１２が、操作されたか否かが、ＣＰＵ１２によって判断される（Ｓ１１０）。
【００８７】
携帯電話１０のパネル２４に表示されたスタートボタン１４０，２１２が操作されていない場合（Ｓ１１０のＮＯ）には、スキャナ９２のパネル７８に表示された分配数報知画面のスタートボタン１４２，２１４が、操作されたか否かが、ＣＰＵ１２によって判断される（Ｓ１１２）。詳しくは、スタートボタン１４２，２１４が操作された場合には、スキャナ９２から携帯電話１０に、スタートボタン１４２，２１４が操作された旨の情報が送信される。このため、ＣＰＵ１２は、その情報の受信の有無により、スタートボタン１４２，２１４が操作されたか否かを判断する。
【００８８】
スキャナ９２のパネル７８に表示されたスタートボタン１４２，２１４が操作されていない場合（Ｓ１１２のＮＯ）には、Ｓ１１０に戻る。一方、スキャナ９２のパネル７８に表示されたスタートボタン１４２，２１４が操作された場合（Ｓ１１２のＹＥＳ）には、Ｓ１１４に進む。また、Ｓ１１０で携帯電話１０のパネル２４に表示されたスタートボタン１４０，２１２が操作された場合（Ｓ１１０のＹＥＳ）にも、Ｓ１１４に進む。
【００８９】
Ｓ１１４では、図３８に示す重量バランス計測処理サブルーチンが実行される。重量バランス計測処理サブルーチンでは、ＡＤＦにセットされた原稿の重量を携帯電話１０に送信する旨の指令が、スキャナ７０，９０，９２に送信される（Ｓ１８０）。次に、全てのスキャナ７０，９０，９２から原稿の重量を受信したか否かが、ＣＰＵ１２によって判断される（Ｓ１８２）。全てのスキャナ７０，９０，９２から原稿の重量を受信していない場合（Ｓ１８２のＮＯ）には、Ｓ１８２の処理が繰り返される。一方、全てのスキャナ７０，９０，９２から原稿の重量を受信した場合（Ｓ１８２のＹＥＳ）には、重量バランス計測処理サブルーチンが終了する。
【００９０】
重量バランス計測処理サブルーチンが終了すると、メインルーチンに戻り、原稿の重量比が適切であるか否か、つまり、原稿の重量比と原稿の分配比とに基づいて、演算された分配数の原稿が適切にスキャナ７０，９０，９２にセットされているか否かが、ＣＰＵ１２によって判断される（Ｓ１１６）。原稿の重量比が適切である場合（Ｓ１１６のＹＥＳ）、つまり、演算された分配数の原稿が適切にスキャナ７０，９０，９２にセットされている場合には、図３９に示すデバイス制御サブルーチンが実行される。
【００９１】
デバイス制御サブルーチンでは、処理選択画面９３で最速スキャン処理と最速コピー処理との何れが選択されたかが、ＣＰＵ１２によって判断される（Ｓ１３０）。最速スキャン処理が選択された場合（Ｓ１３０のＹＥＳ）には、図４０に示すスキャン実行サブルーチンが実行される。スキャン実行サブルーチンでは、スキャナ７０，９０，９２へスキャン処理実行の指示指令が送信される（Ｓ１４０）。そして、スキャンデータを受信したか否かが、ＣＰＵ１２によって判断される（Ｓ１４２）。スキャンデータを受信していない場合（Ｓ１４２のＮＯ）には、Ｓ１４２の処理が繰り返される。
【００９２】
一方、スキャンデータを受信した場合（Ｓ１４２のＹＥＳ）には、全てのスキャン処理が完了したか否かが、ＣＰＵ１２によって判断される（Ｓ１４４）。つまり、処理対象の原稿の枚数分のスキャンデータを受信したか否かが、ＣＰＵ１２によって判断される。なお、この判断は、スキャナ７０，９０，９２の各々から、ＡＤＦにセットされた全ての原稿について、スキャン処理が完了した旨の通知を受信したことにより、行われる。スキャン処理が完了していない場合（Ｓ１４４のＮＯ）には、スキャン処理の進捗状況を示す画面、つまり、進捗状況画面１５０が、パネル２４に表示される（Ｓ１４６）。次に、スキャン処理の進捗状況を示す画面、つまり、進捗状況画面１８０の表示指示が、スキャナ７０，９０，９２の各々に送信される（Ｓ１４８）。そして、Ｓ１４２に戻る。また、Ｓ１４４でスキャン処理が完了している場合（Ｓ１４４のＹＥＳ）に、スキャン実行サブルーチンが終了する。
【００９３】
スキャン実行サブルーチンが終了すると、デバイス制御サブルーチンに戻り、全てのスキャンデータが原稿の並び順に従って、結合される（Ｓ１３４）。そして、結合されたスキャンデータが、携帯電話１０のデータ記憶領域４８に記憶され（Ｓ１３６）、デバイス制御サブルーチンが終了する。
【００９４】
また、Ｓ１３０で最速コピー処理が選択された場合（Ｓ１３０のＮＯ）には、図４１及び図４２に示すコピー実行サブルーチンが実行される。コピー実行サブルーチンでは、スキャナ７０，９０，９２へスキャン処理実行の指示指令が送信される（Ｓ１５０）。そして、スキャンデータを受信したか否かが、ＣＰＵ１２によって判断される（Ｓ１５２）。スキャンデータを受信した場合（Ｓ１５２のＹＥＳ）には、スキャン処理及び印刷処理の進捗状況を示す画面、つまり、進捗状況画面２２０が、パネル２４に表示される（Ｓ１５４）。次に、スキャン処理および印刷処理の進捗状況を示す画面、つまり、進捗状況画面２４０，２５０の表示指示が、スキャナ７０，９０，９２の各々及びプリンタ５０に送信される（Ｓ１５６）。そして、Ｓ１５７に進む。一方、Ｓ１５２でスキャンデータを受信していない場合（Ｓ１５２のＮＯ）には、Ｓ１６４へ進む。
【００９５】
Ｓ１５７では、印刷開始の指示をすでにプリンタ５０へ送信しているか否かがＣＰＵ１２によって判断される（Ｓ１５７）。印刷開始の指示をすでにプリンタ５０へ送信している場合（Ｓ１５７のＹＥＳ）には、Ｓ１６２へ進み、プリンタ５０にスキャンデータが送信される（Ｓ１６２）。そして、Ｓ１６４へ進む。一方、印刷開始の指示を未だにプリンタ５０へ送信していない場合（Ｓ１５７のＮＯ）には、Ｓ１５８へ進む。
【００９６】
Ｓ１５８では、印刷処理を開始可能な数のスキャンデータを受信しているか否かが、ＣＰＵ１２によって判断される（Ｓ１５８）。印刷処理を開始可能な数のスキャンデータを受信している場合（Ｓ１５８のＹＥＳ）には、Ｓ１６０へ進み、すでに受信しているスキャンデータ及び、印刷開始の指示がプリンタ５０へ送信される（Ｓ１６０）。そして、Ｓ１６４へ進む。一方、Ｓ１５８で印刷処理を開始可能な数のスキャンデータを受信していない場合（Ｓ１５８のＮＯ）は、Ｓ１５２へ進む。
【００９７】
Ｓ１６４では、プリンタ５０で１枚の原稿の印刷処理が完了したか否かが、ＣＰＵ１２によって判断される。詳しくは、プリンタ５０は、１枚の原稿の印刷処理が完了する毎に、１枚の原稿の印刷処理が完了した旨の情報を、携帯電話１０に送信する。このため、ＣＰＵ１２は、その情報に基づいて、プリンタ５０で１枚の原稿の印刷処理が完了したか否かを判断する。プリンタ５０で１枚の原稿の印刷処理が完了していない場合（Ｓ１６４のＮＯ）には、Ｓ１５２に戻る。
【００９８】
一方、プリンタ５０で１枚の原稿の印刷処理が完了した場合（Ｓ１６４のＹＥＳ）には、全ての印刷処理が完了したか否かが、ＣＰＵ１２によって判断される（Ｓ１６６）。つまり、１枚の原稿の印刷処理が完了した旨の情報を、処理対象の原稿の枚数に相当する回数、受信したか否かが、ＣＰＵ１２によって判断される。全ての印刷処理が完了していない場合（Ｓ１６６のＮＯ）には、スキャン処理および印刷処理の進捗状況を示す画面、つまり、進捗状況画面２２０が、パネル２４に表示される（Ｓ１６８）。次に、スキャン処理および印刷処理の進捗状況を示す画面、つまり、進捗状況画面２４０，２５０の表示指示が、スキャナ７０，９０，９２の各々及びプリンタ５０に送信される（Ｓ１７０）。そして、Ｓ１５２に戻る。また、Ｓ１６６で印刷処理が完了している場合（Ｓ１６６のＹＥＳ）に、コピー実行サブルーチンが終了するとともに、デバイス制御サブルーチンが終了する。
【００９９】
デバイス制御サブルーチンが終了すると、メインルーチンに戻り、スキャン処理若しくは、印刷処理が正常に終了した旨を示す画面が、パネル２４に表示される（Ｓ１２０）。次に、スキャン処理若しくは、印刷処理が正常に終了した旨を示す画面の表示指示が、スキャナ７０，９０，９２の各々及びプリンタ５０に送信される（Ｓ１２２）。そして、制御プログラム４６が終了する。
【０１００】
また、Ｓ１１６で原稿の重量比が適切でない場合（Ｓ１１６のＮＯ）、つまり、演算された分配数の原稿が適切にスキャナ７０，９０，９２にセットされていない場合には、スキャナに適切な枚数の原稿がセットされていないことを示す画面、つまり、エラー画面２６０が、パネル２４に表示される（Ｓ１２４）。次に、スキャナに適切な枚数の原稿がセットされていないことを示す画面、つまり、エラー画面２６０の表示指示が、スキャナ７０，９０，９２の各々に送信される（Ｓ１２６）。そして、制御プログラム４６が終了する。
【０１０１】
また、スキャンプログラム８６が実行されると、図４３及び図４４に示すフローが実行される。このフローでは、まず、入力待ち画面１３８の表示指示を受信したか否かが、ＣＰＵ７２によって判断される（Ｓ２００）。入力待ち画面１３８の表示指示を受信していない場合（Ｓ２００のＮＯ）には、Ｓ２００の処理が繰り返される。一方、入力待ち画面１３８の表示指示を受信した場合（Ｓ２００のＹＥＳ）には、パネル７８に入力待ち画面１３８が表示される（Ｓ２０２）。次に、分配数の表示指示を受信したか否かが、ＣＰＵ７２によって判断される（Ｓ２０４）。分配数の表示指示を受信していない場合（Ｓ２０４のＮＯ）には、Ｓ２０４の処理が繰り返される。一方、分配数の表示指示を受信した場合（Ｓ２０４のＹＥＳ）には、パネル７８に分配数が表示される（Ｓ２０６）。
【０１０２】
次に、スキャナに適切な枚数の原稿がセットされていないことを示す画面、つまり、エラー画面２６０の表示指示を受信したか否かが、ＣＰＵ７２によって判断される（Ｓ２０８）。エラー画面２６０の表示指示を受信した場合（Ｓ２０８のＹＥＳ）には、パネル７８にエラー画面２６０が表示される（Ｓ２１０）。そして、Ｓ２０４に戻る。一方、エラー画面２６０の表示指示を受信していない場合（Ｓ２０８のＮＯ）には、スキャン指示を受信したか否かが、ＣＰＵ７２によって判断される（Ｓ２１２）。スキャン指示を受信していない場合（Ｓ２１２のＮＯ）には、Ｓ２０８に戻る。一方、スキャン指示を受信した場合（Ｓ２１２のＹＥＳ）には、スキャン処理が開始する（Ｓ２１４）。
【０１０３】
スキャン処理が開始すると、図４５に示すフローが実行される。このフローでは、まず、スキャンが実行される（Ｓ２３０）。次に、１枚の原稿のスキャンが完了したか否かが、ＣＰＵ７２によって判断される（Ｓ２３２）。１枚の原稿のスキャンが完了していない場合（Ｓ２３２のＮＯ）には、Ｓ２３２の処理が繰り返される。一方、１枚の原稿のスキャンが完了した場合（Ｓ２３２のＹＥＳ）には、その１枚の原稿のスキャンデータが、携帯電話１０に送信される（Ｓ２３４）。次に、全ての原稿のスキャン処理が完了し、全スキャンデータが携帯電話１０に送信されたか否かが、ＣＰＵ７２によって判断される（Ｓ２３６）。これは、ＡＤＦに設けられた、セットされた原稿を検知するためのセンサからの受信情報等により行うことができる。そして、全ての原稿のスキャン処理が完了し、全スキャンデータが携帯電話１０に送信された場合（Ｓ２３６のＹＥＳ）に、携帯電話１０へ、本スキャンにおけるスキャン処理が完了した旨を通知する（Ｓ２３８）。そして、本フローが終了する。一方、全ての原稿のスキャン処理が完了せず、全スキャンデータが携帯電話１０に送信されていない場合（Ｓ２３６のＮＯ）には、Ｓ２３０に戻る。
【０１０４】
また、Ｓ２１４でスキャン処理が開始すると、図４４に示すように、スキャン処理の進捗状況を示す画面、つまり、進捗状況画面１８０の表示指示を受信したか否かが、ＣＰＵ７２によって判断される（Ｓ２１６）。進捗状況画面１８０の表示指示を受信していない場合（Ｓ２１６のＮＯ）には、Ｓ２１６の処理が繰り返される。一方、進捗状況画面１８０の表示指示を受信した場合（Ｓ２１６のＹＥＳ）には、パネル７８に進捗状況画面１８０が表示される（Ｓ２１８）。次に、スキャン処理が正常に終了した旨を示す画面の表示指示を受信したか否かが、ＣＰＵ７２によって判断される（Ｓ２２０）。スキャン処理が正常に終了した旨を示す画面の表示指示を受信していない場合（Ｓ２２０のＮＯ）には、Ｓ２２０の処理が繰り返される。一方、スキャン処理が正常に終了した旨を示す画面の表示指示を受信した場合（Ｓ２２０のＹＥＳ）には、スキャン処理が正常に終了した旨を示す画面がパネル７８に表示される（Ｓ２２２）。そして、本フローが終了する。
【０１０５】
また、スキャンプログラム８６が実行されると、図４６に示すフローも実行される。このフローでは、原稿の重量を携帯電話１０に送信する旨の要求を受信したか否かが、ＣＰＵ７２によって判断される（Ｓ２４０）。送信要求を受信していない場合（Ｓ２４０のＮＯ）には、Ｓ２４０の処理が繰り返される。一方、送信要求を受信した場合（Ｓ２４０のＹＥＳ）には、重量センサ８０によって原稿の重量が計測される（Ｓ２４２）。次に、計測された原稿の重量が、携帯電話１０に送信される（Ｓ２４４）。そして、本フローが終了する。
【０１０６】
また、印刷プログラム６６が実行されると、図４７に示すフローが実行される。このフローでは、まず、入力待ち画面１３８の表示指示を受信したか否かが、ＣＰＵ５２によって判断される（Ｓ３００）。入力待ち画面１３８の表示指示を受信していない場合（Ｓ３００のＮＯ）には、Ｓ３００の処理が繰り返される。一方、入力待ち画面１３８の表示指示を受信した場合（Ｓ３００のＹＥＳ）には、パネル５８に入力待ち画面１３８が表示される（Ｓ３０２）。次に、分配数の表示指示を受信したか否かが、ＣＰＵ５２によって判断される（Ｓ３０４）。分配数の表示指示を受信していない場合（Ｓ３０４のＮＯ）には、Ｓ３０４の処理が繰り返される。一方、分配数の表示指示を受信した場合（Ｓ３０４のＹＥＳ）には、パネル５８に分配数が表示される（Ｓ３０６）。
【０１０７】
次に、スキャン処理及び印刷処理の進捗状況を示す画面、つまり、進捗状況画面２５０の表示指示を受信したか否かが、ＣＰＵ５２によって判断される（Ｓ３０８）。進捗状況画面２５０の表示指示を受信していない場合（Ｓ３０８のＮＯ）には、Ｓ３０８の処理が繰り返される。一方、進捗状況画面２５０の表示指示を受信した場合（Ｓ３０８のＹＥＳ）には、パネル５８に進捗状況画面２５０が表示される（Ｓ３１０）。次に、印刷処理が正常に終了した旨を示す画面の表示指示を受信したか否かが、ＣＰＵ５２によって判断される（Ｓ３１２）。印刷処理が正常に終了した旨を示す画面の表示指示を受信していない場合（Ｓ３１２のＮＯ）には、Ｓ３１２の処理が繰り返される。一方、印刷処理が正常に終了した旨を示す画面の表示指示を受信した場合（Ｓ３１２のＹＥＳ）には、印刷処理が正常に終了した旨を示す画面がパネル５８に表示される（Ｓ３１４）。そして、本フローが終了する。
【０１０８】
また、印刷プログラム６６が実行されると、図４８に示すフローも実行される。このフローでは、スキャンデータを受信したか否かが、ＣＰＵ５２によって判断される（Ｓ３２０）。スキャンデータを受信していない場合（Ｓ３２０のＮＯ）には、Ｓ３２２へ進む。一方、スキャンデータを受信した場合（Ｓ３２０のＹＥＳ）には、受信したスキャンデータをデータ記憶領域８８の、一時的なデータを記憶する領域に記憶する（Ｓ３２１）。そして、Ｓ３２２へ進む。Ｓ３２２では、次に印刷すべきスキャンデータがすでに受信されているか否かが、ＣＰＵ５２によって判断される（Ｓ３２２）。次に印刷すべきデータが受信されていると判断すると（Ｓ３２２のＹＥＳ）、Ｓ３２４へ進む。一方、次に印刷すべきデータが受信されていないと判断すると（Ｓ３２２のＮＯ）、Ｓ３２０へ戻る。Ｓ３２４では、プリンタ５０は、印刷を実行する（Ｓ３２４）。そして、Ｓ３２６へ進む。
【０１０９】
Ｓ３２６では、１枚の原稿の印刷が終了した旨の情報が、携帯電話１０に送信される（Ｓ３２６）。次に、全ての印刷処理が終了したか否かが、ＣＰＵ５２によって判断される（３２８）。全ての印刷処理が終了していない場合（Ｓ３２８のＮＯ）には、Ｓ３２２に戻る。一方、全ての印刷処理が終了した場合（Ｓ３２８のＹＥＳ）には、本フローが終了する。
【０１１０】
＜ＣＰＵの機能構成＞
上述した携帯電話１０の制御プログラム４６を実行するＣＰＵ１２は、それの実行処理に鑑みれば、図２に示すような機能構成を有するものと考えることができる。図から解るように、ＣＰＵ１２は、原稿枚数取得手段２７０と、第１分配数演算手段２７２と、第２分配数演算手段２７４と、原稿枚数推定情報取得手段２７６と、判断手段２７８と、画面表示手段２８０と、分配数表示手段２８２と、グラフ表示手段２８４と、印刷開始指示手段２８６と、スキャナ選択手段２８８と、プリンタ選択手段２９０と、処理選択手段２９２と、スキャン速度取得手段２９４と、印刷速度取得手段２９６と、スキャン速度選択手段２９８と、印刷速度選択手段３００とを有している。
【０１１１】
原稿枚数取得手段２７０は、上記制御プログラム４６のＳ１０２の処理を実行する機能部である。第１分配数演算手段２７２は、上記制御プログラム４６のＳ１０４の処理を実行する機能部である。第２分配数演算手段２７４は、上記制御プログラム４６のＳ１０４の処理を実行する機能部である。原稿枚数推定情報取得手段２７６は、上記制御プログラム４６のＳ１８２の処理を実行する機能部である。判断手段２７８は、上記制御プログラム４６のＳ１１６の処理を実行する機能部である。画面表示手段２８０は、上記制御プログラム４６のＳ１２４の処理を実行する機能部である。分配数表示手段２８２は、上記制御プログラム４６のＳ１０６の処理を実行する機能部である。グラフ表示手段２８４は、上記制御プログラム４６のＳ１５４、Ｓ１６８の処理を実行する機能部である。印刷開始指示手段２８６は、上記制御プログラム４６のＳ１４０、Ｓ１５０の処理を実行する機能部である。スキャナ選択手段２８８は、上記制御プログラム４６のＳ３０の処理を実行する機能部である。プリンタ選択手段２９０は、上記制御プログラム４６のＳ４０の処理を実行する機能部である。処理選択手段２９２は、上記制御プログラム４６のＳ１２の処理を実行する機能部である。スキャン速度取得手段２９４は、上記制御プログラム４６のＳ３８の処理を実行する機能部である。印刷速度取得手段２９６は、上記制御プログラム４６のＳ４８の処理を実行する機能部である。スキャン速度選択手段２９８は、上記制御プログラム４６のＳ３６の処理を実行する機能部である。印刷速度選択手段３００は、上記制御プログラム４６のＳ４６の処理を実行する機能部である。
【０１１２】
なお、本発明は、上記実施形態に限定されるものではなく、当業者の知識に基づいて種々の変更、改良を施した種々の態様で実施することが可能である。具体的には、例えば、上記実施形態では、携帯電話１０において、分配数の演算が行われているが、他の装置、例えば、プリンタ５０，６２，６４若しくは、スキャナ７０，９０，９２等で行われてもよい。
【０１１３】
また、上記実施形態では、スキャンデータが、スキャナ７０，９０，９２から携帯電話１０に送信された後に、携帯電話１０からプリンタ５０に送信されるが、スキャナ７０，９０，９２からプリンタ５０に送信されてもよい。
【０１１４】
また、上記実施形態では、複数台のスキャナ７０，９０，９２によりスキャン処理が行われているが、１台のスキャナに、複数のＡＤＦが設けられ、それら複数のＡＤＦにセットされた原稿が、同時に、スキャン処理を実行できる場合には、１台のスキャナで複数のスキャン処理を行うことが可能である。
【０１１５】
また、上記実施形態では、携帯電話１０は、プリンタ５０が印刷を開始してから完了するまでの時間が最短となるタイミングで、印刷処理を開始するよう、スキャンデータを送信していた。しかし、携帯電話１０は、受信したスキャンデータを直ちにプリンタ５０へ送信し、プリンタ５０は、スキャンデータを受信後、直ちに印刷処理を開始してもよい。
【０１１６】
また、上記実施形態では、直接的にスキャナ７０，９０，９２のスキャン速度、プリンタ５０の印刷速度をユーザに選択していた。しかし、通常スキャン速度は、スキャン解像度、階調数等により決まる。そこで、これらのスキャン解像度、階調数等の値をユーザに選択させることで、スキャン速度を間接的に選択させる構成としてもよい。最速コピー処理についても同様で、コピー解像度、階調数等により、その解像度、階調数を実現するための、スキャン速度、印刷速度が決まる。これらのコピー解像度、階調数等の値をユーザに選択させることで、スキャン速度、印刷速度を間接的に選択させる構成としてもよい。
【０１１７】
また、上記実施形態では、原稿の重量に基づいて、スキャナ７０，９０，９２のＡＤＦに適切な枚数の原稿がセットされているか否かが判断されているが、ＡＤＦにセットされた原稿の厚さ等に基づいて、スキャナ７０，９０，９２に適切な枚数の原稿がセットされているか否かを判断することが可能である。その場合、機械式のセンサ、又は透過型の光学センサ等を用いることが好適である。
【０１１８】
また、上記実施形態では、スキャン処理等の進捗状況が、１本の棒状の進捗状況グラフ１５２によって示されているが、図４９に示すように、複数本の棒状の進捗状況グラフ３１０によって示すことが可能である。また、図５０に示すように、円状の進捗状況グラフ３２０によって示すことが可能である。ちなみに、進捗状況グラフ３２０は、第１表示部３２２と第２表示部３２４と第３表示部３２６と第４表示部３２８とによって構成されている。第１表示部３２２は、スキャナ７０によるスキャン処理の進捗状況を示し、第２表示部３２４は、スキャナ９０によるスキャン処理の進捗状況を示し、第３表示部３２６は、スキャナ９２によるスキャン処理の進捗状況を示し、第４表示部３２８は、プリンタ５０による印刷処理の進捗状況を示す。
【０１１９】
また、上記実施形態では、ＣＰＵ１２等によって図３３乃至図４８に示す処理が実行される例を説明したが、これら処理は、ＣＰＵ１２等に限らず、ＡＳＩＣや他の論理集積回路により実行されてもよいし、これら処理が、ＣＰＵ等やＡＳＩＣ、他の論理集積回路が協働することにより実行されてもよい。
【符号の説明】
【０１２０】
１０：携帯電話（制御装置）
１２：ＣＰＵ（コンピュータ）（制御部）
２０：無線ＬＡＮＩ／Ｆ（通信部）
２４：パネル（表示部）
２６：ボタン入力部（入力部）
４６：制御プログラム
５０：プリンタ
７０：スキャナ
９０：スキャナ
９２：スキャナ
２７０：原稿枚数取得手段
２７２：第１分配数演算手段
２７４：第２分配数演算手段
２７６：原稿枚数推定情報取得手段
２７８：判断手段
２８０：表示制御手段
２８２：分配数表示手段
２８４：グラフ表示手段
２８６：印刷開始指示手段
２８８：スキャナ選択手段
２９０：プリンタ選択手段
２９２：処理選択手段
２９４：スキャン速度取得手段
２９６：印刷速度取得手段
２９８：スキャン速度選択手段
３００：印刷速度選択手段
【図１】
2015154379.tif 000003
【図２】
2015154379.tif 000004
【図３】
2015154379.tif 000005
【図４】
2015154379.tif 000006
【図５】
2015154379.tif 000007
【図６】
2015154379.tif 000008
【図７】
2015154379.tif 000009
【図８】
2015154379.tif 000010
【図９】
2015154379.tif 000011
【図１０】
2015154379.tif 000012
【図１１】
2015154379.tif 000013
【図１２】
2015154379.tif 000014
【図１３】
2015154379.tif 000015
【図１４】
2015154379.tif 000016
【図１５】
2015154379.tif 000017
【図１６】
2015154379.tif 000018
【図１７】
2015154379.tif 000019
【図１８】
2015154379.tif 000020
【図１９】
2015154379.tif 000021
【図２０】
2015154379.tif 000022
【図２１】
2015154379.tif 000023
【図２２】
2015154379.tif 000024
【図２３】
2015154379.tif 000025
【図２４】
2015154379.tif 000026
【図２５】
2015154379.tif 000027
【図２６】
2015154379.tif 000028
【図２７】
2015154379.tif 000029
【図２８】
2015154379.tif 000030
【図２９】
2015154379.tif 000031
【図３０】
2015154379.tif 000032
【図３１】
2015154379.tif 000033
【図３２】
2015154379.tif 000034
【図３３】
2015154379.tif 000035
【図３４】
2015154379.tif 000036
【図３５】
2015154379.tif 000037
【図３６】
2015154379.tif 000038
【図３７】
2015154379.tif 000039
【図３８】
2015154379.tif 000040
【図３９】
2015154379.tif 000041
【図４０】
2015154379.tif 000042
【図４１】
2015154379.tif 000043
【図４２】
2015154379.tif 000044
【図４３】
2015154379.tif 000045
【図４４】
2015154379.tif 000046
【図４５】
2015154379.tif 000047
【図４６】
2015154379.tif 000048
【図４７】
2015154379.tif 000049
【図４８】
2015154379.tif 000050
【図４９】
2015154379.tif 000051
【図５０】
2015154379.tif 000052